(57)【要約】【課題】  １台のふとん敷き板装置で２枚のふとんを干すことができるようにする。【解決手段】  ふとんを敷く台として使用する通気性の装置１０であって、１組の敷きぶとんに対して結合して使用する２個１対のすの子状の敷き板１１、１２を有し、各敷き板１１、１２は、敷きぶとんを敷くためのすの子部１３、１４と、すの子部１３、１４を立ててふとん干しに利用可能にするための支え脚部１５、１６とから成り、２個１対の敷き板１１、１２を分離可能に結合しておくための結合手段２３を備えて成る。【選択図】          図１
2005066242.tif 000002
【特許請求の範囲】
【請求項１】
ふとんを敷く台として使用する通気性の装置であって、１組の敷きぶとんに対して、結合して使用する２個１対のすの子状の敷き板を有し、各敷き板は、敷きぶとんを敷くためのすの子部と、すの子部を立ててふとん干しに利用可能にするための支え脚部とから成り、２個１対の敷き板を分離可能に結合しておくための結合手段を備えて成るふとん干し兼用ふとん敷き板装置。
【請求項２】
支え脚部は、１本ないし数本から成り、すの子部の裏側に畳まれ、ふとん干しとして使用するときに引き出して突っ支い棒のように支える構造を有している請求項１記載のふとん干し兼用ふとん敷き板装置。
【発明の詳細な説明】
【技術分野】
【０００１】
本発明は、ふとんを敷く台として使用する、通気性の、ふとん干し兼用ふとん敷き板装置に関するものである。
【背景技術】
【０００２】
木材を用いてすの子状に形成した、ふとんを敷く台としてふとん干しを兼ねているものは知られているが、従来のものは例えば実登３０９１１４０号のように１台のふとん敷き板装置が１台のふとん干しとなる構造を有する。特開２００２−１２５８０６号のもの
は、床面がフレームから持ち上がる構造を持つが、これも干し得るふとんは１台の装置に付き１枚である。
【０００３】
【特許文献１】実用新案登録第３０９１１４０、特開２００２−１２５８０６
【発明の開示】
【発明が解決しようとする課題】
【０００４】
本発明は前記の点に着目してなされたもので、その課題は、１台のふとん敷き板装置で２枚のふとんを干すことができるようにすることである。
【課題を解決するための手段】
【０００５】
前記の課題を解決するため本発明は、１組の敷きぶとんに対して、結合して使用する２個１対のすの子状の敷き板を有し、各敷き板は、敷きぶとんを敷くためのすの子部と、すの子部を立ててふとん干しに利用可能にするための支え脚部とから成り、２個１対の敷き板を分離可能に結合しておくための結合手段を設けるという手段を講じたものである。
【０００６】
本発明のふとん敷き板装置は、ふとんを敷く台として使用する通気性の装置から発達したものである。この種のものは、すの子マットであるとかベッドなどと呼ばれており、基本的には、畳に敷くふとんに通気性を与えることを目的とする。そのための構造がすの子状の敷き板であり、本発明においては１枚の敷きぶとんに対して、２個１対のものを使用する。この２個は、１対の敷きぶとんの長さの２分の１の長さを有する。すの子状の構造という場合、本発明では、間をすかして張設したものをいう。
【０００７】
各敷き板は、敷きぶとんを敷くことができるすの子部と、すの子部を立てて用いることを可能にするための支え脚部とから成る。支え脚部は、１本ないし数本から成るもので良く、すの子部の裏側に畳まれ、ふとん干しとして使用するときに引き出して突っ支い棒のように支える構造を有することが望ましい。この場合に突っ支い棒のように支える構造には、引き出し位置を規定する手段を設ける。
【０００８】
２個１対の敷き板の、少なくとも一方の敷き板を一体に結合しておくための結合手段を設ける。２個１対の敷き板は並べただけでは、敷き板として使用中に離れてしまうおそれがあるからである。少なくとも一方の敷き板に、とは、２個１対の敷き板が共に結合手段を有していても良いということである。結合手段は、他方の敷き板が離れてしまわなければどのようなものであっても良い。この目的を達する結合手段としては、一方の敷き板から他方の敷き板の方へ延び出して引っ掛かるようなもの、或いは２個１対の敷き板を止め着けるようなものが適用可能である。
【発明の効果】
【０００９】
本発明は以上の如く構成されかつ作用するものであるから、２個１対のすの子状の敷き板を分離して、支え脚部で立てることによって、１台のふとん敷き板装置で２枚のふとんを干すことができるという効果を奏する。
【発明を実施するための最良の形態】
【００１０】
以下図面を参照して、本発明に係るふとん干し兼用ふとん敷き板装置１０をより詳細に説明する。本発明の装置１０は２個１対の敷き板１１、１２を有し、各敷き板１１、１２は１組の敷きぶとんを敷くことができるすの子部１３、１４と、すの子部１３、１４を立てるための支え脚部１５、１６とから成る。
【００１１】
図５に示すように、各すの子部１３、１４は、間をすかして配列した板１７と、各板１７と交差する桟１８とから成る。例示の板１７及び桟１８は共に木材から成り、従って例示した本発明のふとん干し兼用ふとん敷き板装置１０は木工品としての性格を有する。
【００１２】
また例示の支え脚部１５、１６は、各数本の棒状部材とそれらを結合した部材とから成り、各敷き板１１、１２の裏側に折り畳み、引き出し可能に軸支されている（図３及び、図４参照）。１９、２０はその支軸を示す。２１、２２は引き出し位置規定手段、を示しており、例示のものは、桟１８と各支え脚部１５、１６に両端を連結した、紐状の部材である。
【００１３】
さらに、２個１対の敷き板１１、１２を分離可能に結合しておくための結合手段２３として、結合子が一方の敷き板１１の結合側端部近くの裏面に回転可能に軸支されている。２４はそのための支軸を示す。例示の結合手段２３は、一方の敷き板１１の先端側に係合部２５を有しており、他方の敷き板１２に設けられている結合相手部２６と係合させることにより、２個１対の敷き板１１、１２を結合状態とする。
【００１４】
このような構成を有する本発明のふとん干し兼用ふとん敷き板装置１０は、図１に示すように２個１対の敷き板１１、１２から成る。両敷き板１１、１２を結合側端部にて突き合わせるとともに、係合部２５を係合相手部２６に係合させることにより、図２に示すように１台のふとん敷き板装置となり、敷きぶとんを敷くことができる。
【００１５】
これをふとん干しとして使用するには、両敷き板１１、１２の係合を外して分離し、夫々の支え脚部１５、１６を引き出して開脚し、図３に示すように独立させる。各個独立した２個１対の敷き板１１、１２は、自立して使用可能なふとん干しとなるので、図６に示すように、上端部にふとん３０を山折りに掛けて干すことができる。
【産業上の利用可能性】
【００１６】
本発明は以上説明したような内容を有するものであり、１台のふとん敷き板として使用できる一方では２台のふとん干しとして使用することができるので、効率の良い健康用品として又日用品として使用され、又木工製品として製造することにより木工分野における振興のためにも利用され得る。
【図面の簡単な説明】
【００１７】
【図１】本発明に係るふとん干し兼用敷き板装置の１例を示す分解斜視図。
【図２】同上のものを敷き板装置とした状態の斜視図。
【図３】同じくふとん干しとした状態の斜視図。
【図４】係合部の拡大図。
【図５】図４のＶ−Ｖ線断面図。
【図６】ふとん干しとして使用する状態の側面説明図。
【符号の説明】
【００１８】
１０  ふとん干し兼用ふとん敷き板装置
１１、１２  敷き板
１３、１４  すの子部
１５、１６  支え脚部
２３  結合手段
２５  係合部
２６  係合相手部
３０  ふとん
【図１】
2005066242.tif 000003
【図２】
2005066242.tif 000004
【図３】
2005066242.tif 000005
【図４】
2005066242.tif 000006
【図５】
2005066242.tif 000007
【図６】
2005066242.tif 000008